(57)【要約】【課題】二次散乱光等の迷光を好適に防止しつつ、透光窓の清掃を簡単に行うことができ、その結果正確な測定を可能にする。【解決手段】測定セル６１と、測定セル６１の第１透光窓Ｍ１を介して測定セル６１内に検査光Ｌ１を照射する光源６２と、測定セル６１の第１透光窓Ｍ１に対向して設けられた第２透光窓Ｍ２を介して測定セル６１内の透過光Ｌ２を検出する透過光検出器６３と、測定セル６１において第２透光窓Ｍ２とは異なる位置に設けられた第３透光窓Ｍ３を介して測定セル６１内の散乱光Ｌ３を検出する散乱光検出器６４と、測定セル６１内に設けられ、第１、第２及び第３透光窓Ｍ１〜Ｍ３それぞれに向かって末広がりの空間を形成する複数の遮光板６５と、第１、第２及び第３透光窓Ｍ１〜Ｍ３を清掃する清掃機構６６と、を備える。【選択図】図３
2010060364.tif 000002
【特許請求の範囲】
【請求項１】
試料を収容する筒状の測定セルと、
前記測定セルに設けられた第１透光窓を介して測定セル内に検査光を照射する光源と、
前記測定セルにおいて前記第１透光窓に対向して設けられた第２透光窓を介して測定セル内を通過した透過光を検出する透過光検出器と、
前記測定セルにおいて前記第２透光窓とは異なる位置に設けられた第３透光窓を介して測定セル内で散乱した散乱光を検出する散乱光検出器と、
前記測定セル内において当該測定セルの軸方向に設けられ、前記第１、第２及び第３透光窓それぞれに向かって末広がりの空間を形成する複数の遮光板と、
前記第１、第２及び第３透光窓を清掃する清掃機構と、を具備する試料測定装置。
【請求項２】
前記遮光板の先端部が尖っている請求項１記載の試料測定装置。
【請求項３】
前記測定セルが、断面略正八角形状の内側周面を有する筒形状をなすものであり、
前記第１透光窓及び前記第２透光窓が、前記測定セルの相対向する第１平面及び第２平面に形成されるとともに、前記第３透光窓が、前記第１及び第２平面に垂直な第３平面に形成され、
前記遮光板が、前記第１、第２及び第３平面のいずれにも相対向しない４つの平面に略垂直に設けられている請求項１又は２記載の試料測定装置。
【請求項４】
前記第１透光窓に向かって末広がりの空間を形成する一対の遮光板と、前記第３透光窓に向かって末広がりの空間を形成する一対の遮光板とにおいて、第１透光窓及び第３透光窓との間に設けられる遮光板を共通とし、
前記第２透光窓に向かって末広がりの空間を形成する一対の遮光板と、前記第３透光窓に向かって末広がりの空間を形成する一対の遮光板とにおいて、第２透光窓及び第３透光窓との間に設けられる遮光板を共通とする請求項１、２又は３記載の試料測定装置。
【請求項５】
前記清掃機構が、前記各透光窓に対応して設けられた摺動片を有する清掃体と、当該清掃体を測定セルに対して相対移動させる駆動部と、を備える請求項１、２、３又は４記載の試料測定装置。
【発明の詳細な説明】
【技術分野】
【０００１】
本発明は、液体試料の濁度を測定する濁度センサ等の試料測定装置に関するものである。
【背景技術】
【０００２】
従来、液体試料の濁度を測定するものとして、透過散乱光方式の濁度センサが知られている。
【０００３】
この濁度計は、特許文献１に示すように、液体試料が流れる測定セルと、当該測定セルに設けられた透光窓を介して光源、透過光検出器及び散乱光検出器とを備え、透過光検出器で検出した透過光量に対する散乱光検出器で検出した散乱光量の比から、濁度が求められるように構成されている。
【０００４】
しかしながら、従来の濁度センサにおいては、液体試料によって生じる散乱光が測定セル内面でさらに反射して生じる二次散乱光等の迷光が透過光検出器又は散乱光検出器によって検出されることにより、ＳＮ比が悪くなってしまうという問題がある。
【０００５】
また、透光窓に気泡又は測定試料中の不純物（例えば細菌や付着性藻類など）が付着して汚れてしまい、透光窓の光透過性が阻害されて検査光の光量低下、透過光の光量低下及び散乱光の光量低下が生じてしまい、正確な測定を行うことができなくなる。
【０００６】
さらに、前記二次散乱光等の迷光を可及的に除外するために、検出器に対応する透光窓近傍に遮光スリットを設けることが考えられるが、これでは、透光窓の清掃等メンテナンスがしにくくなるという欠点がある。そして、透光窓を清掃するためには、例えば、遮光スリットを取り外した後に透光窓を清掃する必要があり、メンテナンス性を低下させてしまうという問題がある。
【０００７】
なお、上述した課題は、透過光散乱光方式を採用する濁度計に限らず、濁度を光学的に検出する他の方式にも共通する課題である。
【特許文献１】特開２０００−１９３５９２号公報
【発明の開示】
【発明が解決しようとする課題】
【０００８】
そこで本発明は、上記問題点を一挙に解決するためになされたものであり、二次散乱光等の迷光を好適に防止しつつ、透光窓の清掃を簡単に行うことができ、その結果正確な測定を可能にすることをその主たる所期課題とするものである。
【課題を解決するための手段】
【０００９】
すなわち本発明に試料測定装置は、試料を収容する筒状の測定セルと、前記測定セルに設けられた第１透光窓を介して測定セル内に検査光を照射する光源と、前記測定セルにおいて前記第１透光窓に対向して設けられた第２透光窓を介して測定セル内を通過した透過光を検出する透過光検出器と、前記測定セルにおいて前記第２透光窓とは異なる位置に設けられた第３透光窓を介して測定セル内で散乱した散乱光を検出する散乱光検出器と、前記測定セル内において当該測定セルの軸方向に設けられ、前記第１、第２及び第３透光窓それぞれに向かって末広がりの空間を形成する複数の遮光板と、前記第１、第２及び第３透光窓を清掃する清掃機構と、を具備することを特徴とする。なお、「末広がりの空間を形成する」とは、遮光板が透光窓の前に形成する空間が、全体に亘り末広がりの空間をなす場合の他、一部に末広がりの空間を有する場合も含む。
【００１０】
このようなものであれば、各透光窓それぞれに向かって末広がりの空間を形成する遮光板を設けているので、迷光を分離するだけでなく、迷光を減衰させることもでき、迷光が透過光検出器及び散乱光検出器によって受光されることを防止できる。また、遮光板が測定セルの軸方向に沿って設けられ、透光窓に向かって末広がりの空間を形成しているので、透光窓と遮光板との間にスペースができ、透光窓の清掃を妨げることが無く、透光窓の清掃を行うことができる。したがって、二次散乱光等の迷光を好適に防止しながらも、透光窓の清掃を簡単に行うことができるようになり、その結果正確な測定を可能にすることができる。
【００１１】
試料液体のより生じた散乱光が遮光板により反射して透過光検出器又は散乱光検出器により受光されることを防止して、正確な測定結果を得ることができるようにするためには、前記遮光板の先端部が尖っていることが望ましい。
【００１２】
測定セルの強度を強くするとともに、測定セル内面を複数の平面により形成して遮光板の測定セルへの取り付けを簡単にするための具体的な実施の態様としては、前記測定セルが、断面略正八角形状の内側周面を有する筒形状をなすものであり、前記第１透光窓及び前記第２透光窓が、前記測定セルの相対向する第１平面及び第２平面に形成されるとともに、前記第３透光窓が、前記第１及び第２平面に直交する第３平面に形成され、前記遮光板が、前記第１、第２及び第３平面のいずれにも相対向しない４つの平面に略垂直に設けられていることが望ましい。このように、略正八角形状の内側周面を有する筒形状として、平面に透光窓を設けているので、光が通過する部分の水平度を確保することができる。よって、各透光窓が曲面であることによる光のロスを低減することができる。測定セルの形状としては、断面略矩形形状の内側周面を有する筒形状をなすものも考えられるが、前記のように断面略正八角形状の内側周面を有する筒形状とすることにより、測定セル、光源、光検出器等の配置スペースを小さくすることができる。
【００１３】
遮光板の遮光機能を確保しながらも、測定セル内部の構成を簡単にするための具体的な実施の態様としては、前記第１透光窓に向かって末広がりの空間を形成する一対の遮光板と、前記第３透光窓に向かって末広がりの空間を形成する一対の遮光板とにおいて、第１透光窓及び第３透光窓との間に設けられる遮光板を共通とし、前記第２透光窓に向かって末広がりの空間を形成する一対の遮光板と、前記第３透光窓に向かって末広がりの空間を形成する一対の遮光板とにおいて、第２透光窓及び第３透光窓との間に設けられる遮光板を共通とすることが望ましい。
【００１４】
清掃機構の具体的な実施の態様としては、前記清掃機構が、前記各透光窓に対応して設けられた摺動片を有する清掃体と、当該清掃体を測定セルに対して相対移動させる駆動部と、を備えることが望ましい。
【発明の効果】
【００１５】
このように本発明によれば、二次散乱光等の迷光を好適に防止しつつ、透光窓の清掃を簡単に行うことができ、その結果正確な測定を可能にすることができる。
【発明を実施するための最良の形態】
【００１６】
次に、本発明の試料測定装置を組み込んだ水質分析装置の一実施形態について図面を参照して説明する。なお、図１は本実施形態の水質分析装置１００の斜視図であり、図２は水質分析装置１００の保護カバー２３を取り外した状態の底面図であり、図３はセンサ本体２の内部構造を省略したＡ−Ａ線断面図であり、図４は測定セル６１の横断面図であり、図５は清掃体６６１の斜視図である。
【００１７】
＜装置構成＞
本実施形態に係る水質分析装置１００は、ｐＨ、導電率（Conductivity）、溶存酸素（Dissolved Oxygen）濃度、濁度（Turbidity）及び水温などの測定項目を同時に連続測定するものであり、図１及び図２に示すように、水質測定用の複数の測定センサを備えた浸漬型のセンサ本体２と、当該センサ本体２に防水タイプの電気ケーブルＣＡを介して電気的に接続された計器本体３と、を備えている。そして、例えば液体試料として海水の水質分析を行う場合には、電気ケーブルＣＡの部分を持ち、センサ本体２を海水中に垂下し、海水中に浸漬した状態で行う。
【００１８】
センサ本体２は、図１に示すように、概略回転体形状をなし、複数種類の測定センサが取り付けられる取付ブロック体２１と、電源、メモリ機能部を有する演算部、演算された水質の測定データ等を時系列的に記録するデータロガーを内蔵する演算機器等収容体２２と、前記取付ブロック体２１の下端部（センサ取付側端部）に取り付けられて、測定センサを外部から保護するセンサ保護カバー２３と、を備える。なお、取付ブロック体２１と演算機器等収容体２２とは水密ケースを構成する。また、センサ保護カバー２３は、外部からの光を遮光する遮光機能及び設置、測定の際に外部から受ける衝撃を吸収する衝撃吸収機能を有し、外部の液体試料（例えば海水等）をセンサ本体２内部に導きながらも、測定センサを外部から保護するものである。
【００１９】
具体的に取付ブロック体２１の下端部に形成された取付面２１Ａには、図２に示すように、ｐＨ測定用のｐＨガラス電極３１及び高濃度（３．３ｍｏｌ／Ｌ）のＫＣｌの内部液を用いた比較電極３２で構成されるｐＨセンサ３、前記比較電極３２を用いて酸化還元電位を測定するための酸化還元電極４、例えば交流４極法を用いた導電率センサ５、透過散乱法を用いた濁度センサ６、ポーラログラフ法を用いた溶存酸素センサ７、及び温度センサ８等が同一方向を向くように設けられている。つまり各センサ３〜８は、その中心軸方向が略一致する方向に取付面２１Ａに設けられている。取付面２１Ａは、同一平面により形成されても良いし、部分的に段部を有するようなものでも良い。
【００２０】
なお、各センサの測定原理は上記に限られず、他の測定原理を用いたものであっても良い。また、ｐＨガラス電極３１、比較電極３２、酸化還元電極４及び溶存酸素センサ７は、一般に使用に連れて劣化又は不測の破損を伴うことを考慮して、取付ブロック体２１に対して交換可能なカードリッジ式になっており、交換が容易である。
【００２１】
計器本体３は、前記センサ本体２からの測定データ等を表示する表示部、電源キー、機能キー、測定の開始・終了キー、校正キー、セレクトキー、アップダウンキー等を備えている。そして、前記電気ケーブルＣＡを操ってセンサ本体２を水没させると、各測定センサのからの出力に基づく測定データが前記メモリ機能部に記録され、且つ、その測定値が表示部に表示される。
【００２２】
＜濁度センサ６について＞
しかして本実施形態の濁度センサ６は、特に図３に示すように、液体試料を収容する筒状の測定セル６１と、測定セル６１に設けられた第１透光窓Ｍ１を介して測定セル６１内に検査光Ｌ１を照射する光源６２と、測定セル６１において第１透光窓Ｍ１に対向して設けられた第２透光窓Ｍ２を介して測定セル６１内を通過した透過光Ｌ２を検出する透過光検出器６３と、測定セル６１において検査光Ｌ１に略直交して設けられた第３透光窓Ｍ３を介して測定セル６１内で散乱した散乱光Ｌ３を検出する散乱光検出器６４と、測定セル６１内において当該測定セル６１の軸方向に沿って設けられ、第１、第２及び第３透光窓Ｍ１〜Ｍ３それぞれに向かって末広がりの空間を形成する複数の遮光板６５と、第１、第２及び第３透光窓Ｍ１〜Ｍ３を清掃する清掃機構６６と、を備える。なお、測定セル６１、光源６２、透過光検出器６３及び散乱光検出器６４は、取付ブロック体２１の取付面２１Ａに設けられたセンサ収容部６７内に固定されている。
【００２３】
以下各部６１〜６６について詳述する。
【００２４】
測定セル６１は、図３に示すように、前記センサ収容部６７に上下端を開放した状態で設置される両端が開口する筒状をなすものであり、具体的には、図４に示すように、断面略正八角形状の内側周面を有する。
【００２５】
また測定セル６１は、測定セル６１の側周に設けられた光源６２からの検査光Ｌ１を測定セル６１内に導くための第１透光窓Ｍ１、第１透光窓Ｍ１に対向して設けられた第２透光窓Ｍ２、及び第１透光窓Ｍ１及び第２透光窓Ｍ２の対向方向に直交する方向に設けられた第３透光窓Ｍ３を有する。測定セル６１は、第１、第２及び第３透光窓Ｍ１〜Ｍ３以外には遮光性を有する材料から形成され、第１、第２及び第３透光窓Ｍ１〜Ｍ３は光透過性を有する材料から形成されている。
【００２６】
具体的には、図４に示すように、第１透光窓Ｍ１及び第２透光窓Ｍ２は、測定セル６１の相対向する第１平面６１ａ及び第２平面６１ｂに形成されている。また、第３透光窓Ｍ３は、第１平面６１ａ及び第２平面６１ｂに垂直な第３平面６１ｃに形成されている。なお、第３透光窓Ｍ３は、散乱光Ｌ３の光軸に対して３０度の広がりを有する光を検出するものであり、第１透光窓Ｍ１及び第２透光窓Ｍ２よりも面積が大きい。
【００２７】
光源６２は、第１透光窓Ｍ１に対向するように設けられ、ＬＥＤから構成される。なお、図示しないが、光源６２と第１透光窓Ｍ１との間には、光学レンズが設けられ、測定セル６１の略中央部に検査光Ｌ１が集光するようにしている。
【００２８】
また、透過光検出器６３は、第２透光窓Ｍ２に対向するように設けられ、散乱光検出器６４は、第３透光窓Ｍ３に対向するように設けられている。いずれの検出器からの検出信号も演算機器等収容体２２に収容された演算部（図示しない）に出力される。
【００２９】
遮光板６５は、測定セル６１内で生じる迷光を除去するものであり、測定セル６１の内面に測定セル６１の軸方向に沿って設けられ、第１、第２及び第３透光窓Ｍ１〜Ｍ３それぞれに向かって末広がりの空間を形成するものである。
【００３０】
この各遮光板６５は、測定セル６１の中心軸に沿って、測定セル６１の内面において測定セル６１の中心を向いて設けられる平板状のものである。そして、相対向する２つの遮光板６５の側面により遮光板６５の基端部まで末広がりの空間を形成する。また、各遮光板６５の形状は略同一であり、測定セル６１の両端部（上端部から下端部）に亘って延設されている。各透光窓Ｍ１〜Ｍ３に対向して設けられた一対の遮光板６５は、透光窓Ｍ１〜Ｍ３の前方、測定セル６１の中心側前方に、測定セル６１の中心軸に沿ってスリットＳを形成する。なお、遮光板６５は、測定セル６１と一体成形されても良いし、別々に形成された測定セル６１及び遮光板６５を接着剤等により固定しても良い。
【００３１】
また、各遮光板６５の先端により形成される領域（各遮光板６５の先端の内接円の内部領域）は、後述する清掃機構６６の移動軸６６２１を移動可能とするため、当該移動軸６６２１よりも若干大きく形成されている。
【００３２】
具体的に遮光板６５は、第１、第２及び第３平面６１ａ〜６１ｃのいずれにも相対向しない４つの平面（第４〜第７平面６１ｄ〜６１ｇ）に略垂直に設けられている。つまり、隣接する遮光板６５同士の成す角度は、略直角である。また、各透光窓Ｍ１〜Ｍ３に向かって末広がりの空間を形成する一対の遮光板６５は、それぞれの透光窓Ｍ１〜Ｍ３に対して±４５度傾斜している。
【００３３】
また、第１透光窓Ｍ１に向かって末広がりの空間を形成する一対の遮光板６５と、第３透光窓Ｍ３に向かって末広がりの空間を形成する一対の遮光板６５とにおいて、第１透光窓Ｍ１及び第３透光窓Ｍ３との間に設けられる遮光板６５が共通とされている。
【００３４】
さらに、第２透光窓Ｍ２に向かって末広がりの空間を形成する一対の遮光板６５と、第３透光窓Ｍ３に向かって末広がりの空間を形成する一対の遮光板６５とにおいて、第２透光窓Ｍ２及び第３透光窓Ｍ３との間に設けられる遮光板６５が共通とされている。
【００３５】
また、本実施形態の遮光板６５は、液体試料のより生じた散乱光Ｌ３が遮光板６５により反射して透過光検出器６３又は散乱光検出器６４により受光されることを防止するため、その先端部６５１が、測定セル６１の中心軸を向くようにして尖っている。
【００３６】
このように測定セル６１及び遮光板６５により形成される内部空間は、概略四つ葉形状をなす等断面形状となる。
【００３７】
清掃機構６６は、図３に示すように、第１透光窓Ｍ１、第２透光窓Ｍ２及び第３透光窓Ｍ３の汚れを払拭するものであり、透光窓Ｍ１〜Ｍ３の汚れを払拭する清掃体６６１と、当該清掃体６６１を測定セル６１に対して相対移動させる駆動部６６２と、清掃体６６１の位置を検出するための位置検出部６６３と、を備える。
【００３８】
清掃体６６１は、図４及び図５に示すように、各透光窓Ｍ１〜Ｍ３に対応して設けられた摺動片６６１ａ〜６６１ｄを有する平面視において概略四つ葉形状をなすものである。本実施形態の清掃体６６１は、ゴム等の弾性部材により一体成形されたものである。４つの摺動片６６１ａ〜６６１ｄは、それぞれ測定セル６１及び遮光板６５により形成された第１空間、第２空間、第３空間及び第４空間内に収容される。なお、清掃の観点からは第４空間内に収容される摺動片６６１ｄは必要ではないが、第３透光窓Ｍ３に接触する摺動片６６１ｃを第３透光窓Ｍ３に押圧接触させると共に、当該摺動片６６１ｃが、第１透光窓Ｍ１及び第２透光窓Ｍ２に押圧接触する摺動片６６１ａ、６６１ｂと略同一の押圧力により第３透光窓Ｍ３に押圧接触するために設けられている。これにより第３透光窓Ｍ３を第１透光窓Ｍ１及び第２等小窓Ｍ２と同程度に清掃することができる。
【００３９】
清掃体６６１の縦横寸法は、測定セル６１の内面の縦横寸法よりも若干大きい。つまり、清掃体６６１の摺動体６６１ａの先端辺と摺動体６６１ｂの先端辺との距離が、第１平面６１ａと第２平面６１ｂとの距離よりも若干大きく、摺動体６６１ｃの先端辺と摺動体６６１ｄの先端辺との距離が、第３平面６１ｃと第８平面６１ｈとの距離よりも若干大きい。これにより、清掃体６６１が測定セル内に収容された状態において、各摺動片６６１ａ〜６６１ｄは測定セル６１の内面に押圧接触することになる。
【００４０】
また、各摺動片６６１ａ〜６６１ｄは、遮光板６５により形成される末広がりの空間に合わせて先端に行くに従って徐々に幅広な形状をなす。これにより、測定時において（このとき清掃体６６１は測定セル６１上部に位置する）、測定セル６１の上端開口から測定セル６１内に入る外部の光を遮断することができる。また、各摺動片６６１ａ〜６６１ｄの左右端部は、清掃体６６１の移動における接触抵抗を大きくしないため、遮光板６５に接触しないようにしている。これにより、遮光効果を可及的に大きくするとともに、接触抵抗を小さくするためには、各摺動片６６１ａ〜６６１ｄの左右端部を遮光板６５に接触させない程度に大きくすることが好ましい。
【００４１】
駆動部６６２は、例えばラックアンドピニオン機構により清掃体６６１を進退移動させるものであり、先端部に清掃体６６１が取り付けられる移動軸６６２１と、当該移動軸６６２１を測定セル６１の中心軸に沿って進退移動させるモータやギア等からなる駆動機器６６２２とを備えている。なお、駆動機器６６２２は、取付ブロック体２１及び演算機器等収容体２２からなる水密ケース内に固定されている。
【００４２】
移動軸６６２１は、測定セル６１の中心に沿って進退移動するものであり、その先端部に清掃体６６１が固定される。具体的には、移動軸６６２１の先端部に形成された凹凸に、清掃体６６１の中心部に設けられた取付孔６６１Ａの凹凸を弾性変形させて嵌合させることにより、清掃体６６１が移動軸６６２１に固定される。
【００４３】
位置検出部６６３は、移動軸６６２１に設けられた遮光片６６２１ｘの位置を検出することによって、清掃体６６１の位置を検出するものであり、フォトインタラプタにより構成されている。具体的に位置検出部６６３は、清掃体６６１が最下端にある状態及び清掃体６６１が最上端にある状態を検出するものであり、それらに対応する位置にそれぞれフォトインタラプタが設けられている。
【００４４】
このように構成された清掃機構６６は、演算機器等収容体２２に収容される制御機器により例えば定期的（例えば数時間又は数日おき）に透光窓Ｍ１〜Ｍ３を自動清掃するようにしても良いし、計器本体３に設けられた清掃キーによりユーザが適宜清掃操作できるようにしても良い。
【００４５】
＜本実施形態の効果＞
このように構成した本実施形態に係る水質分析装置１００によれば、各透光窓Ｍ１〜Ｍ３それぞれに向かって末広がりの空間を形成する遮光板６５を設けているので、遮光板６５により形成されるスリットＳにより迷光を分離除去することができるだけでなく、スリットＳを通過した迷光は、遮光板６５の側面及び測定セル６１の側面に多重反射して減衰されるので、迷光が透過光検出器６３及び散乱光検出器６４によって受光されることを防止できる。また、遮光板６５が測定セル６１の軸方向に沿って設けられ、透光窓Ｍ１〜Ｍ３に向かって末広がりの空間を形成しているので、透光窓Ｍ１〜Ｍ３と遮光板６５との間にスペースができ、遮光板６５が、透光窓Ｍ１〜Ｍ３の清掃を妨げることが無く、透光窓Ｍ１〜Ｍ３の清掃を行うことができる。したがって、二次散乱光等の迷光を好適に防止しながらも、透光窓Ｍ１〜Ｍ３の清掃を簡単に行うことができるようになり、その結果正確な測定を可能にすることができる。
【００４６】
＜その他の変形実施形態＞
なお、本発明は前記実施形態に限られるものではない。以下の説明において前記実施形態に対応する部材には同一の符号を付すこととする。
【００４７】
例えば、測定セルは、前記実施形態のように断面正八角形状をなすものの他に、断面円形状をなすものであっても良いし、その他の断面多角形状をなすものであっても良い。
【００４８】
また、前記実施形態では光源及び散乱光検出器、透過光検出器及び散乱光検出器との間の遮光板を共通にして部品点数の削減を図っているが、光源、透過光検出器及び散乱光検出器それぞれに一対の遮光板を設けても良い。また、遮光板の形状は平板に限られず、湾曲又は屈曲した板を用いても良い。
【００４９】
さらに、前記実施形態の遮光板は、透光窓が設けられていない平面に設けられ、遮光板が透光窓の前に形成する空間が、一部に末広がりの空間を有するものであったが、遮光板を透光窓が設けられた平面に設け、遮光板が透光窓の前に形成する空間が、全体に亘り末広がりの空間をなすものであっても良い。
【００５０】
また、前記実施形態では、第３透光窓が、第１透光窓及び第２透光窓の対向方向に直交する方向、つまり検査光に略直交して設けられているが、その他、前方散乱光又は後方散乱光を検出するために第２透光窓とは異なる位置に設けても良い。
【００５１】
その上、測定方式に、透過光散乱光測定方式を用いているが、その他の光を利用した測定方式（透過光測定方式、表面散乱光測定方式、散乱光測定方式、積分球方式など）を用いることができる。なお、採用する測定方式に応じて、光源や光検出部の種類、数、配置場所等を適宜変更できることは言うまでもない。
【００５２】
その他、前述した実施形態や変形実施形態の一部又は全部を適宜組み合わせてよいし、本発明は前記実施形態に限られず、その趣旨を逸脱しない範囲で種々の変形が可能であることは言うまでもない。
【図面の簡単な説明】
【００５３】
【図１】本実施形態に係る水質分析装置の斜視図。
【図２】同実施形態の水質分析装置の保護カバーを取り外した状態の底面図。
【図３】同実施形態のセンサ本体の内部構造を省略したＡ−Ａ線断面図。
【図４】同実施形態の測定セルの横断面図。
【図５】同実施形態の清掃体の斜視図。
【符号の説明】
【００５４】
１００・・・水質分析装置（試料測定装置）
６１  ・・・測定セル
Ｍ１  ・・・第１透光窓
Ｍ２  ・・・第２透光窓
Ｍ３  ・・・第３透光窓
Ｌ１  ・・・検査光
Ｌ２  ・・・透過光
Ｌ３  ・・・散乱光
６２  ・・・光源
６３  ・・・透過光検出器
６４  ・・・散乱光検出器
６５  ・・・遮光板
６６  ・・・清掃機構
６６１・・・清掃体
６６１ａ〜６６１ｄ・・・摺動片
６６２・・・駆動部
６１ａ・・・第１平面
６１ｂ・・・第２平面
６１ｃ・・・第３平面
【図１】
2010060364.tif 000003
【図２】
2010060364.tif 000004
【図３】
2010060364.tif 000005
【図４】
2010060364.tif 000006
【図５】
2010060364.tif 000007